(57)【要約】【課題】先に検出したトリガポイントを基点とする信号波形と次に検出したトリガポイントを基点とする信号波形とを確実かつ容易に比較可能に表示する。【解決手段】入力信号をサンプリングして波形データを生成するＡ／Ｄ変換部と、波形データを記録する波形データメモリと、記録されている波形データを検索して所定のトリガ条件を満たすトリガポイントを検出すると共に検出したトリガポイントを基点とする所定時間分の入力信号についての信号波形を波形データに基づいて表示部３に表示させる制御部とを備えた波形記録装置１であって、制御部は、先に検出したトリガポイントＴｐ１を基点とする信号波形Ｗｐ１を表示部３に表示させた状態で次に検出したトリガポイントＴＰ２を基点とする信号波形Ｗｐ２を両信号波形Ｗｐ１，Ｗｐ２のトリガポイントＴｐ１，Ｔｐ２同士が一致するように表示部３に表示させる。【選択図】　　　　図２
2004085501.tif 000002
【特許請求の範囲】
【請求項１】
入力信号をサンプリングして波形データを生成する波形データ生成部と、当該生成された波形データを記録する波形データ記録部と、当該波形データ記録部に記録されている前記波形データを検索して所定のトリガ条件を満たすトリガポイントを検出すると共に当該検出したトリガポイントを基点とする所定時間分の前記入力信号についての信号波形を当該波形データに基づいて表示部に表示させる制御部とを備えた波形記録装置であって、
前記制御部は、先に検出した前記トリガポイントを基点とする前記信号波形を前記表示部に表示させた状態において、次に検出した前記トリガポイントを基点とする前記信号波形を当該両信号波形のトリガポイント同士が一致するように当該表示部に表示させる波形記録装置。
【請求項２】
前記制御部は、前記先に検出した前記トリガポイントを基点とする前記信号波形と前記次に検出した前記トリガポイントを基点とする前記信号波形とを互いに区別可能に表示させる請求項１記載の波形記録装置。
【請求項３】
前記制御部は、前記先に検出した前記トリガポイントを基点とする前記信号波形と前記次に検出した前記トリガポイントを基点とする前記信号波形とをそれぞれの線種、線幅、色相、明度、彩度および濃淡のいずれか１つ以上を互いに異ならせて表示させる請求項２記載の波形記録装置。
【発明の詳細な説明】
【０００１】
【発明の属する技術分野】
本発明は、入力信号をサンプリングすることによって生成した波形データを記録すると共に記録した波形データに基づいて所定のトリガ条件を満たすトリガポイントを基点とする信号波形を表示部に表示する波形記録装置に関するものである。
【０００２】
【従来の技術】
この種の波形記録装置として、図７に示す波形記録装置３１が従来から知られている。この波形記録装置３１は、入力信号Ｓ１（例えば交流電圧）をサンプリングすることによって生成した波形データＤｗを記録可能に構成されている。また、波形記録装置３１は、記録した波形データＤｗを検索することによって所定のトリガ条件を満たすトリガポイントＴｐを検出し、図８に示すように、検出したトリガポイントＴｐを始点（基点）とする所定時間分の信号波形Ｗｐを波形データＤｗに基づいて生成して表示部３に表示可能に構成されている。
【０００３】
具体的には、波形記録装置３１は、図７に示すように、Ａ／Ｄ変換部２、表示部３、操作部３４、制御部３５、ＶＲＡＭ６、ＲＯＭ３７および波形データメモリ８を備えて構成されている。Ａ／Ｄ変換部２は、入力信号Ｓ１をサンプリングすることによって波形データＤｗを生成し、表示部３は、信号波形Ｗｐなどを表示する。操作部３４は、ファンクションキーや数字キーなどが配列されて構成され、これらのキーの操作に応じた操作信号Ｓｏを制御部３５に出力する。
【０００４】
制御部３５は、操作部３４によって出力された操作信号Ｓｏに従って各種処理を実行する。また、制御部３５は、Ａ／Ｄ変換部２によって出力された波形データＤｗを波形データメモリ８に記録すると共に、操作部３４の操作によって波形表示処理が指示されたときには、波形データメモリ８に記録した波形データＤｗを検索することにより、操作部３４を操作して設定されたトリガ条件を満たすトリガポイントＴｐを検出する。さらに、制御部３５は、波形データメモリ８に記録されている波形データＤｗに基づき、検出したトリガポイントＴｐを始点とする所定時間（例えば１０ｍｓ）分の信号波形Ｗｐを表示するための表示用データＤｐをＶＲＡＭ６内に生成する。また、制御部３５は、ＶＲＡＭ６に対して表示用データＤｐを表示部３に出力させることによって信号波形Ｗｐを表示部３に表示させる。ＶＲＡＭ６は、表示用データＤｐを記憶し、ＲＯＭ３７は、波形記録装置３１の動作プログラムを記憶する。また、波形データメモリ８は、波形データＤｗを記録する。
【０００５】
この波形記録装置３１によって入力信号Ｓ１についての波形データＤｗを記録する際には、まず、入力信号Ｓ１を波形記録装置３１に入力する。これに応じて、Ａ／Ｄ変換部２が波形データＤｗを生成して出力し、制御部３５が出力された波形データＤｗを波形データメモリ８に記録する。一方、所定のトリガ条件を満たすトリガポイントＴｐを始点とする所定時間（この例では１０ｍｓ）分の信号波形Ｗｐを表示部３に表示させる際には、まず、操作部３４を操作して、例えば、波形データＤｗの値（電圧）がマイナス電圧から０Ｖに達した時点をトリガポイントＴｐとするトリガ条件を設定する。次いで、制御部３５に対して信号波形表示処理を実行させる。この信号波形表示処理では、制御部３５は、波形データメモリ８に記録されている波形データＤｗを検索して、設定されたトリガ条件を満たすトリガポイントＴｐを検出する。次に、制御部３５は、検出したトリガポイントＴｐから１０ｍｓ分の波形データＤｗを波形データメモリ８から読み込む。次いで、制御部３５は、読み込んだ波形データＤｗに基づいて信号波形Ｗｐを表示するための表示用データＤｐをＶＲＡＭ６内に生成すると共に、ＶＲＡＭ６に対して表示用データＤｐを表示部３に出力させる。これにより、図８に示すように、信号波形Ｗｐが表示部３に表示される。
【０００６】
続いて、次のトリガポイントＴｐを始点とする信号波形Ｗｐを表示させる際には、操作部３４を操作して上記した信号波形表示処理を制御部３５に実行させる。この際に、制御部３５は、次のトリガポイントＴｐを始点とする信号波形Ｗｐを表示するための表示用データＤｐをＶＲＡＭ６内に生成すると共に、ＶＲＡＭ６に対してこの表示用データＤｐを表示部３に出力させる。これにより、先に表示されている信号波形Ｗｐに代わって（先に表示されている信号波形Ｗｐが表示部３から消去されて）次の信号波形Ｗｐが表示部３に表示される。
【０００７】
【発明が解決しようとする課題】
ところが、従来の波形記録装置３１には、以下の問題点がある。すなわち、従来の波形記録装置３１では、次に検出したトリガポイントＴｐを始点とする信号波形Ｗｐを表示部３に表示する際に、先に表示した信号波形Ｗｐを表示部３から消去している。したがって、次に検出したトリガポイントＴｐを始点とする信号波形Ｗｐのみが表示部３に表示されることとなるため、新たに表示された信号波形Ｗｐと先に表示されていた信号波形Ｗｐとを比較することができない結果、例えば、交流電圧の測定の際に、位相ずれや電圧値変化などを発見するのが困難であるという問題点が存在する。
【０００８】
本発明は、かかる問題点に鑑みてなされたものであり、先に検出したトリガポイントを基点とする信号波形と次に検出したトリガポイントを基点とする信号波形とを確実かつ容易に比較可能に表示し得る波形記録装置を提供することを主目的とする。
【０００９】
【課題を解決するための手段】
上記目的を達成すべく請求項１記載の波形記録装置は、入力信号をサンプリングして波形データを生成する波形データ生成部と、当該生成された波形データを記録する波形データ記録部と、当該波形データ記録部に記録されている前記波形データを検索して所定のトリガ条件を満たすトリガポイントを検出すると共に当該検出したトリガポイントを基点とする所定時間分の前記入力信号についての信号波形を当該波形データに基づいて表示部に表示させる制御部とを備えた波形記録装置であって、前記制御部は、先に検出した前記トリガポイントを基点とする前記信号波形を前記表示部に表示させた状態において、次に検出した前記トリガポイントを基点とする前記信号波形を当該両信号波形のトリガポイント同士が一致するように当該表示部に表示させる。
【００１０】
請求項２記載の波形記録装置は、請求項１記載の波形記録装置において、前記制御部は、前記先に検出した前記トリガポイントを基点とする前記信号波形と前記次に検出した前記トリガポイントを基点とする前記信号波形とを互いに区別可能に表示させる。
【００１１】
請求項３記載の波形記録装置は、請求項２記載の波形記録装置において、前記制御部は、前記先に検出した前記トリガポイントを基点とする前記信号波形と前記次に検出した前記トリガポイントを基点とする前記信号波形とをそれぞれの線種、線幅、色相、明度、彩度および濃淡（つまり表示形態）のいずれか１つ以上を互いに異ならせて表示させる。
【００１２】
【発明の実施の形態】
以下、添付図面を参照して、本発明に係る波形記録装置の好適な実施の形態について説明する。
【００１３】
最初に、波形記録装置１の構成について、図面を参照して説明する。なお、従来の波形記録装置３１と同一の構成要素については、同一の符号を付して重複した説明を省略する。
【００１４】
波形記録装置１は、入力信号Ｓ１（一例として、図５に示す正弦波状の交流電圧）をサンプリングすることによって生成した波形データＤｗを記録可能に構成されている。また、波形記録装置１は、記録した波形データＤｗを検索して所定のトリガ条件を満たすトリガポイントＴｐ１〜Ｔｐ５（図５参照。以下、区別しないときは単に「トリガポイントＴｐ」ともいう）を検出して、図３に示すように、検出した各トリガポイントＴｐ１〜Ｔｐ５をそれぞれ始点（基点）とする所定時間分の入力信号Ｓ１についての信号波形Ｗｐ１〜Ｗｐ５（以下、区別しないときは単に「信号波形Ｗｐ」ともいう）を波形データＤｗに基づいて生成して表示部３に表示可能に構成されている。具体的には、波形記録装置１は、図７に示すように、Ａ／Ｄ変換部２、表示部３、操作部４、制御部５、ＶＲＡＭ６、ＲＯＭ７および波形データメモリ８を備えて構成されている。
【００１５】
Ａ／Ｄ変換部２は、本発明における波形データ生成部に相当し、入力信号Ｓ１を所定の周期でサンプリングすることによって波形データＤｗを生成する。この場合、波形データＤｗには、サンプリング開始時点からサンプリングされた時点までの経過時間と、電圧値を特定する値が含まれている。表示部３は、画像をカラー表示可能な例えば液晶パネルを備えて構成され、図３に示すように、制御部５の制御下で表示画面１１を液晶パネルに表示する。この場合、表示画面１１には、同図に示すように、信号波形Ｗｐ１〜Ｗｐ５、およびサンプリング開始時点から各トリガポイントＴｐ１〜Ｔｐ５までの経過時間ｔ１〜ｔ５を表す数値画像Ｐｔ１〜Ｐｔ５（以下、区別しないときは単に「数値画像Ｐｔ」ともいう）などが表示される。また、表示画面１１の左側には電圧スケールＷｓｖが表示され、表示画面１１の下側には時間スケールＷｓｔが表示される。ここで、各信号波形Ｗｐ１〜Ｗｐ５は、各々の始点（つまり、各トリガポイントＴｐ１〜Ｔｐ５）が電圧スケールＷｓｖにおける０Ｖレベルの位置に一致するように表示画面１１上に表示される。操作部４は、トリガ条件を設定するための条件設定キー、後述する信号波形表示処理を制御部５に実行させるための実行キー、信号波形表示処理を繰り返し実行させるための「ＮＥＸＴ」キー、各種機能が割り当てられた複数のファンクションキー、および数字キーなどの各種キーが配列されて構成され、これらのキー操作に応じた操作信号Ｓｏを出力する。
【００１６】
制御部５は、波形記録装置１を統括的に制御すると共に、操作部４によって出力された操作信号Ｓｏに従って各種処理を実行する。また、制御部５は、Ａ／Ｄ変換部２によって出力された波形データＤｗを波形データメモリ８に記録させる。さらに、制御部５は、波形データメモリ８に記録されている波形データＤｗを検索して、操作部４を操作して設定されたトリガ条件を満たすトリガポイントＴｐを検出する。また、制御部５は、検出したトリガポイントＴｐから所定時間（例えば１０ｍｓ）分の波形データＤｗを波形データメモリ８から読み込んで、トリガポイントＴｐを始点とする１０ｍｓ分の入力信号Ｓ１についての信号波形Ｗｐおよび上記した数値画像ＰｔをＶＲＡＭ６の仮想平面上に仮想的に描画することにより、信号波形Ｗｐおよび数値画像Ｐｔについての表示用データＤｐをＶＲＡＭ６内に生成する。この場合、制御部５は、信号波形Ｗｐをカラーで表示させるためのカラーデータを表示用データＤｐに含ませる。さらに、制御部５は、ＶＲＡＭ６に対して表示用データＤｐを表示部３に出力させることによって信号波形Ｗｐを表示画面１１上に表示させる。ＶＲＡＭ６は、制御部５によって生成された表示用データＤｐを記憶する。ＲＯＭ７は、波形記録装置１の動作プログラムなどを記憶する。波形データメモリ８は、本発明における波形データ記録部に相当し、一例として、ストレージメモリおよびハードディスク装置（いずれも図示せず）を備えて構成され、波形データＤｗを記録する。
【００１７】
次に、波形記録装置１の全体的な動作について図面を参照して説明する。なお、従来の波形記録装置３１と同一の動作については重複した説明を省略する。
【００１８】
最初に、入力した入力信号Ｓ１についての波形データＤｗを記録して、その記録した波形データＤｗに基づき、設定されたトリガ条件を満たすトリガポイントＴｐ１〜Ｔｐ５を始点とする所定時間（例えば１０ｍｓ）分の信号波形Ｗｐ１〜Ｗｐ５を表示部３に表示させる波形表示方法について説明する。
【００１９】
まず、入力信号Ｓ１を波形記録装置１に入力する。この際に、波形記録装置１のＡ／Ｄ変換部２が、入力信号Ｓ１を所定のサンプリング周期でサンプリングすることによって波形データＤｗを生成して出力する。次に、制御部５が、Ａ／Ｄ変換部２によって出力された波形データＤｗを波形データメモリ８に順次記録する。次いで、操作部４の条件設定キーを用いてトリガ条件を設定する。この場合、一例として、図５に示すように、入力信号Ｓ１の電圧（波形データＤｗに含まれる電圧）がマイナス電圧から０Ｖに達した時点（入力信号Ｓ１が０Ｖレベルをマイナス電圧からプラス電圧に横切った時点）をトリガポイントＴｐとするトリガ条件を設定する。
【００２０】
次いで、操作部４の実行キーを操作する。これに応じて、制御部５が、信号波形表示処理を実行する。この信号波形表示処理では、まず、制御部５は、波形データメモリ８に記録されている波形データＤｗを例えばサンプリングされた順に検索して、図５に示すように、波形データＤｗに含まれている電圧（入力信号Ｓ１の電圧）がマイナス電圧から０Ｖに達した最初の時点をトリガポイントＴｐ１として検出する。続いて、制御部５は、検出したトリガポイントＴｐ１から例えば１０ｍｓ分の波形データＤｗを波形データメモリ８から読み込む。次に、制御部５は、読み込んだ波形データＤｗに基づき、トリガポイントＴｐ１を始点とする１０ｍｓ分の信号波形Ｗｐ１および数値画像Ｐｔ１をＶＲＡＭ６の仮想平面上に仮想的に描画することによって信号波形Ｗｐ１および数値画像Ｐｔ１を表示するための表示用データＤｐ１をＶＲＡＭ６内に生成する。この際に、制御部５は、表示画面１１の左側に表示される電圧スケールＷｓｖの０Ｖレベルの位置にその始点が一致するように信号波形Ｗｐ１を仮想平面上に描画する。また、制御部５は、表示用データＤｐ１を生成する際に、信号波形Ｗｐ１を例えば黒色（黒の色相）で表示させるためのカラーデータを表示用データＤｐ１に含ませる。次いで、制御部５は、ＶＲＡＭ６に対して、表示用データＤｐ１を表示部３に出力させる。これにより、図１に示すように、黒色の信号波形Ｗｐ１および数値画像Ｐｔ１が表示部３の表示画面１１上に表示される。この場合、信号波形Ｗｐ１は、その始点（トリガポイントＴｐ１）が電圧スケールＷｓｖの０Ｖレベルの位置に一致するように表示される。
【００２１】
続いて、操作部４に配設されている「ＮＥＸＴ」キーを操作する。これに応じて、制御部５が、上記した信号波形表示処理を実行して、トリガポイントＴｐ２を始点とする信号波形Ｗｐ２および数値画像Ｐｔ２を上記した信号波形Ｗｐ１および数値画像Ｐｔ１が描画されている仮想平面上に仮想的に描画することによって表示用データＤｐ２をＶＲＡＭ６内に生成する。この際に、制御部５は、信号波形Ｗｐ２を例えば赤色（赤の色相）で表示させるためのカラーデータを表示用データＤｐ２に含ませる。また、制御部５は、表示画面１１の左側に表示される電圧スケールＷｓｖの０Ｖレベルの位置にその始点が一致するように信号波形Ｗｐ２を仮想平面上に描画する。したがって、各々の始点が一致した状態で両信号波形Ｗｐ１，Ｗｐ２が仮想平面上に描画される。続いて、制御部５は、ＶＲＡＭ６に対して表示用データＤｐ２を表示部３に出力させる。これにより、図２に示すように、黒色の信号波形Ｗｐ１、赤色の信号波形Ｗｐ２および数値画像Ｐｔ１，Ｐｔ２が表示画面１１上に表示される。この場合、その始点（トリガポイントＴｐ１，ＴＰ２）を電圧スケールＷｓｖ上の０Ｖの位置に一致させた状態で両信号波形Ｗｐ１，Ｗｐ２が表示画面１１上に同時に表示される。また、両信号波形Ｗｐ１，Ｗｐ２の表示色が互いに異ならせて表示される。したがって、両信号波形Ｗｐ１，Ｗｐ２の波形を区別することができるため、各波形上の相違点が確実かつ容易に認識される。さらに、数値画像Ｐｔ１，Ｐｔ２を表示することにより、サンプリング開始時点から両信号波形Ｗｐ１，Ｗｐ２の始点（トリガポイントＴｐ１，Ｔｐ２）までの経過時間ｔ１，ｔ２を報知することができる結果、トリガポイントＴｐ１，ＴＰ２間の周期、つまり入力信号Ｓ１の周期を確実かつ容易に確認することができる。
【００２２】
以後、制御部５は、操作部４の「ＮＥＸＴ」キーが操作される毎に上記した信号波形表示処理を実行する。この際に、制御部５は、各信号波形Ｗｐを互いに異なる表示色で表示させるためのカラーデータを各表示用データＤｐに含ませる。ここで、例えば合計４回の「ＮＥＸＴ」キーが操作されたときには、図３に示すように、トリガポイントＴｐ１〜Ｔｐ５をそれぞれ始点とする互いに異なる表示色の信号波形Ｗｐ１〜Ｗｐ５および数値画像Ｐｔ１〜Ｐｔ５が表示画面１１上に表示される。この場合、各信号波形Ｗｐ１〜Ｗｐ５は、各々の始点が電圧スケールＷｓｖの０Ｖレベルの位置にそれぞれ一致するように表示される。また、各信号波形Ｗｐ１〜Ｗｐ５の表示色（色相）が互いに異なるため、各信号波形Ｗｐ１〜Ｗｐ５がその表示色によって確実かつ容易に区別される。したがって、各信号波形Ｗｐ１〜Ｗｐ５の波形上の相違点が確実かつ容易に認識される。この場合、各信号波形Ｗｐ１〜Ｗｐ５の表示色を例えば、青色から赤色へと徐々に（グラデーション状に）変化させてその表示色で各信号波形Ｗｐ１〜Ｗｐを表示した順序を特定可能に表示させることもできるし、表示した順序を特定可能な表示順序番号を各信号波形Ｗｐ１〜Ｗｐと共に表示させることもできる。
【００２３】
次に、他の実施の形態に係る波形表示方法について説明する。この波形表示方法では、図６に示すようなディジタル信号である入力信号Ｓ２を入力して波形データＤｗを記録し、その記録した波形データＤｗに基づいて、トリガポイントＴｐ１１，Ｔｐ１２（同図参照）を始点とする所定時間（例えば１０ｍｓ）分の信号波形Ｗｐ１１，Ｗｐ１２を表示部３に表示させる。ここで、入力信号Ｓ２は、同図に示すように、スタートビットに相当する短い幅のパルス（例えば約０．６ｍｓ）と、これに続く例えば４つのパルスとからなるパターンを繰り返して構成されている。
【００２４】
この場合、まず、入力信号Ｓ２を波形記録装置１に入力する。次に、Ａ／Ｄ変換部２が入力信号Ｓ２をサンプリングして波形データＤｗを出力し、制御部５が波形データＤｗを波形データメモリ８に記録する。次いで、操作部４を操作することにより、例えば「パルス幅が０．７ｍｓ以下の信号における立ち上がりエッジ」をトリガ条件として設定する。続いて、操作部４の実行キーを操作することによって制御部５に対して信号波形表示処理を実行させる。この信号波形表示処理では、制御部５は、波形データメモリ８に記録されている波形データＤｗをサンプリングされた順に検索してパルス幅が０．７ｍｓ以下の最初のパルス（つまり、スタートビットに相当する短い幅のパルス）の立ち上がりエッジをトリガポイントＴｐ１１として検出する。以下、制御部５は、上記した信号波形表示処理と同様にして、黒色の信号波形Ｗｐ１１および数値画像Ｐｔ１１を表示するための表示用データＤｐ１１をＶＲＡＭ６内に生成し、ＶＲＡＭ６に対して表示用データＤｐ１１を表示部３に出力させる。これにより、図４に実線で示すように、その始点が電圧スケールＷｓｖ上の０Ｖの位置に一致するようにして、黒色の信号波形Ｗｐ１１が表示部３の表示画面１１上に表示される。次いで、「ＮＥＸＴ」キーを操作することにより、同図に破線で示すように、次のトリガポイントＴｐ１２を始点とする赤色の信号波形Ｗｐ１２、黒色の信号波形Ｗｐ１１および数値画像Ｐｔ１１，Ｐｔ１２が表示画面１１上に表示される。この場合、表示色が互いに異なる両信号波形Ｗｐ１１，Ｗｐ１２が電圧スケールＷｓｖ上の０Ｖの位置を始点として表示画面１１上に同時に表示されるため、両信号波形Ｗｐ１１，Ｗｐ１２におけるスタートビットの立ち上がりエッジまたは立ち下がりエッジからの各パルスの遅延時間やパルス幅の相違点が確実かつ容易に認識される。
【００２５】
このように、この波形記録装置１によれば、制御部５が先に検出した例えばトリガポイントＴｐ１を始点とする信号波形Ｗｐ１を表示部３の表示画面１１上に表示させた状態で次に検出した例えばトリガポイントＴｐ２を始点とする信号波形Ｗｐ２を両トリガポイントＴｐ１，Ｔｐ２が互いに一致するように表示画面１１上に同時に表示させることにより、両信号波形Ｗｐ１，Ｗｐ２を確実かつ容易に比較することができる。また、より多くの信号波形Ｗｐ１〜Ｗｐ５を重ね合わせて表示する場合であっても、各信号波形Ｗｐ１〜Ｗｐ５同士を確実かつ容易に比較することができる結果、信号波形の変位を確実かつ容易に観測することができる。さらに、波形データＤｗを一旦記録して、その後に信号波形の変位を観測することができるため、無人の波形観測システムにおいて不具合箇所などを特定する際に極めて有効な機能を実現することができる。また、例えばパルス状繰り返し波形の信号波形Ｗｐ１１，Ｗｐ１２を表示する場合であっても、両信号波形Ｗｐ１１，Ｗｐ１２を確実かつ容易に比較することができる結果、信号波形の僅かな変化を視認することができる。さらに、先に表示させた信号波形Ｗｐ１（またはＷｐ１〜Ｗｐ４）と次に重ねて表示する信号波形Ｗｐ２（またはＷｐ５）とを互いに異なる表示色で表示させることにより、両信号波形Ｗｐ１，Ｗｐ２を表示色によって明確に区別できるため、両信号波形Ｗｐ１，Ｗｐ２をさらに確実かつ容易に比較することができる。
【００２６】
なお、本発明は、上記した実施の形態に限定されない。例えば、本発明の実施の形態では、波形データＤｗの電圧（入力信号Ｓ１の電圧）がマイナス電圧から０Ｖに達した時点や、そのパルス幅が０．７ｍｓ以下のパルスの立ち上がりエッジをトリガポイントＴｐとしてトリガ条件を設定する例について説明したが、トリガ条件はこれらに限定されない。例えば、任意の電圧と、その電圧に達する向き（マイナス電圧およびプラス電圧のいずれか一方からいずれか他方への向き、または０Ｖから５Ｖへの向きなど）とを指定することもできるし、パルス幅も任意に指定することができる。さらに、以上のトリガ条件を組み合わせたトリガ条件を設定することもできる。また、本発明の実施の形態では、トリガポイントＴｐを一致させつつ２つまたは５つの信号波形Ｗｐを表示する例について説明したが、同時に表示する信号波形Ｗｐの数はこれに限定されず、任意の数を表示させることができる。さらに、表示部３に多数の信号波形Ｗｐを表示することによって各信号波形Ｗｐ同士の互いの区別が困難となる場合には、表示している複数の信号波形Ｗｐの一部（例えば、最も早くから表示している信号波形Ｗｐ等）についての表示を止める（表示を消去する）構成を採用することもできる。
【００２７】
また、本発明の実施の形態では、トリガポイントＴｐを始点とする信号波形Ｗｐを表示する例について説明したが、トリガポイントＴｐを中心点とする信号波形ＷｐやトリガポイントＴｐを終点とする信号波形Ｗｐを表示することもできる。この場合、トリガポイントＴｐを中心点とする複数の信号波形Ｗｐを表示画面１１に表示する際には、電圧スケールＷｓｖを表示画面１１上の中央部に表示する構成を採用することができる。また、トリガポイントＴｐを終点とする複数の信号波形Ｗｐを表示画面１１に表示させる際には、電圧スケールＷｓｖを表示画面１１上の右側に表示する構成を採用することもできる。さらに、信号波形Ｗｐの表示色は黒色および赤色に限定されず、任意の色（色相）を採用することができる。また、それぞれの線種（例えば実線や破線）、線幅、色相、明度、彩度および濃淡などの表示形態のいずれか１つ以上を互いに異ならせて各信号波形Ｗｐを表示することもでき、この際にも各信号波形Ｗｐをこれらの表示形態によって明確に区別できるため、各信号波形Ｗｐを確実かつ容易に比較することができる。さらに、多数の信号波形Ｗｐを表示させる際には、最新に表示する信号波形Ｗｐ以外の信号波形を同じ表示形態で表示し、最新に表示する信号波形Ｗｐのみを他の信号波形Ｗｐと異なる表示形態で表示することもできる。
【００２８】
【発明の効果】
以上のように、請求項１記載の波形記録装置によれば、制御部が先に検出したトリガポイントを基点とする信号波形を表示部に表示させた状態において、次に検出したトリガポイントを基点とする信号波形を両信号波形のトリガポイント同士が一致するように表示部に表示させることにより、両信号波形を確実かつ容易に比較することができる。したがって、より多くの信号波形を重ね合わせて表示する場合であっても、各信号波形同士を確実かつ容易に比較することができる結果、信号波形の変位を確実かつ容易に観測することができる。
【００２９】
また、請求項２，３記載の波形記録装置によれば、制御部が先に検出したトリガポイントを基点とする信号波形と次に検出したトリガポイントを基点とする信号波形とを例えばそれぞれの線種、線幅、色相、明度、彩度および濃淡のいずれか１つ以上を互いに異ならせて両信号波形を区別可能に表示させることにより、両信号波形をさらに確実かつ容易に比較することができる。
【図面の簡単な説明】
【図１】波形記録装置１の表示部３に信号波形Ｗｐ１を表示させた表示画面図である。
【図２】表示部３に信号波形Ｗｐ１，Ｗｐ２を表示させた表示画面図である。
【図３】表示部３に信号波形Ｗｐ１〜Ｗｐ５を表示させた表示画面図である。
【図４】表示部３に信号波形Ｗｐ１１，Ｗｐ１２を表示させた表示画面図である。
【図５】記録対象としての入力信号Ｓ１の信号波形を示す信号波形図である。
【図６】記録対象としての入力信号Ｓ２の信号波形を示す信号波形図である。
【図７】本発明の実施の形態に係る波形記録装置１および従来の波形記録装置３１を示すブロック図である。
【図８】従来の波形記録装置３１における表示部３に信号波形Ｗｐを表示させた表示画面図である。
【符号の説明】
１　波形記録装置
２　Ａ／Ｄ変換部
３　表示部
５　制御部
８　波形データメモリ
Ｄｗ　波形データ
Ｔｐ１〜Ｔｐ５，Ｔｐ１１，Ｔｐ１２　トリガポイント
Ｗｐ１〜Ｗｐ５，Ｗｐ１１，Ｗｐ１２　信号波形
【図１】
2004085501.tif 000003
【図２】
2004085501.tif 000004
【図３】
2004085501.tif 000005
【図４】
2004085501.tif 000006
【図５】
2004085501.tif 000007
【図６】
2004085501.tif 000008
【図７】
2004085501.tif 000009
【図８】
2004085501.tif 000010